(57)【特許請求の範囲】
【請求項１】
巻取軸の外周面に長手方向に沿って係止溝を設けると共に、前記係止溝の近傍に係合溝を平行に穿設し、前記係止溝の幅中心から前記係合溝側に寄せて溝幅より狭く開口部を形成することにより、ロールスクリーンの先端に設けられた硬質性の係止部を前記係止溝の開口部から奥行きの長い方に嵌入してロールスクリーンを巻取軸の外周に巻回可能とされ、
一端に前記係止溝の開口部の奥行きの短い方の側縁に掛止する掛止片及び前記係止溝を閉塞する蓋片を備え、他端には前記係合溝の開口部を閉塞することなく当該係合溝側の縁部に形成された係合部に係合する鍵部を備えた蓋体の前記掛止片を前記側縁に掛止した後前記鍵部を前記係合部に係合することにより、前記蓋体の前記蓋片によって前記係止溝の開口部を閉成して前記ロールスクリーンを前記巻取軸に固着可能とされ、
他方、前記蓋体の前記鍵部を前記係合溝から開放し、前記巻取軸の開口部から前記蓋体を除去し、前記ロールスクリーンの前記係止部を前記係止溝から脱出させることによって前記ロールスクリーンを前記巻取軸から取り外すことを可能としたこと特徴とするロールスクリーンの脱着機構。
【請求項２】
前記ロールスクリーンの係止部が前記ロールスクリーンの先端縁にホッチキス止によって固着されることを特徴とする請求項１に記載のロールスクリーンの脱着機構。
【発明の詳細な説明】
【技術分野】
【０００１】
本発明は、窓枠や部屋の仕切りなどに使用する日除け、または目隠しなどに使用するロールスクリーンを巻取軸に簡易に着脱できるロールスクリーンの脱着機構に関する。
【背景技術】
【０００２】
窓枠などの日除け、目隠しなどに使用するロールスクリーンが多く利用されている。これらロールスクリーンにおいて巻取軸にロールスクリーンを固着する簡易な取り付け方法が種々提案されている。しかし、いずれも一長一短があり、家庭において簡易に取り付けられるものは少なかった。
【０００３】
例えば、実公平０７−１４６２４号公報（特許文献１）にはロールスクリーンの先端を折り曲げて熱接着テープを挟み溶着した芯部からなる係合部を巻取軸の係止溝内に挿入してこの係止溝内に嵌合した支持部材によって先端の脱落を阻止したものである。
【０００４】
また、特許第３４６６５７４号公報（特許文献２）には巻取軸の外周に形成した円弧溝に回動自在に遊嵌して軸支した係合蓋によってロールスクリーンの先端を嵌装した固定溝を完全に閉塞してロールスクリーンを固定するものが知られている。
【先行技術文献】
【特許文献】
【０００５】
【特許文献１】実公平０７−１４６２４号公報第１図
【特許文献２】特許第３４６６５７４号公報第１頁
【発明の概要】
【発明が解決しようとする課題】
【０００６】
上記特許文献１は係合溝内にロールスクリーンの先端を挿入し、係合突起を溝内に配置しただけであるからロールスクリーンの先端が確実に係止できない欠点があった。また、特許文献２では係合蓋を回動するように軸支してあるので、ロールスクリーンを巻取軸に巻回するときにこの係合蓋が邪魔になっていた。
【０００７】
本発明はこれら従来の問題点を改善したもので、巻取軸にロールスクリーンを確実に係止することができ、巻取軸にロールスクリーンを巻回するときに邪魔にならず、軽快に巻取りできるロールスクリーンの脱着機構を提供することを目的とする。
【０００８】
また、本発明は、ロールスクリーンの先端を容易に固着できるロールスクリーンの脱着機構を提供することを目的とする。
【０００９】
さらに、本発明は、確実に固定することができるロールスクリーンの脱着機構を提供することを目的とする。
【課題を解決するための手段】
【００１０】
上記課題を解決するため請求項１に記載の発明は、巻取軸の外周面に長手方向に沿って係止溝を設けると共に、前記係止溝の近傍に係合溝を平行に穿設し、前記係止溝の幅中心から前記係合溝側に寄せて溝幅より狭く開口部を形成することにより、ロールスクリーンの先端に設けられた硬質性の係止部を前記係止溝の開口部から奥行きの長い方に嵌入してロールスクリーンを巻取軸の外周に巻回可能とされ、一端に前記係止溝の開口部の奥行きの短い方の側縁に掛止する掛止片及び前記係止溝を閉塞する蓋片を備え、他端には前記係合溝の開口部を閉塞することなく当該係合溝側の縁部に形成された係合部に係合する鍵部を備えた蓋体の前記掛止片を前記側縁に掛止した後前記鍵部を前記係合部に係合することにより、前記蓋体の前記蓋片によって前記係止溝の開口部を閉成して前記ロールスクリーンを前記巻取軸に固着可能とされ、他方、前記蓋体の前記鍵部を前記係合溝から開放し、前記巻取軸の開口部から前記蓋体を除去し、前記ロールスクリーンの前記係止部を前記係止溝から脱出させることによって前記ロールスクリーンを前記巻取軸から取り外すことを可能としたこと特徴とするロールスクリーンの脱着機構を提供する。
【００１１】
上記課題を解決するため請求項２に記載の発明は、請求項１に記載のロールスクリーンの脱着機構において、前記ロールスクリーンの係止部が前記ロールスクリーンの先端縁にホッチキス止によって固着されることを特徴とする。
【発明の効果】
【００１２】
本発明のロールスクリーンの脱着機構によれば、巻取軸の外周面に形成した係止溝の開口部の奥行きの長い方に、ロールスクリーンの係止部または硬質性芯片入り係止部を挿入し、係止溝の開口部を蓋体で閉塞してロールスクリーンの係止部を確実に固定することができるから簡易にロールスクリーンを巻取軸に固着することができる。
【００１３】
また、本発明のロールスクリーンの脱着機構によれば、ロールスクリーンの先端に係止部をホッチキスなどによって簡易に固着することができる。
【図面の簡単な説明】
【００１４】
【図１】本発明に係るロールスクリーンの脱着機構の一実施形態を示す概略縦断側面図である。
【図２】巻取軸の係止溝の開口部にロールスクリーンの係止部を挿入する説明図である。
【図３】巻取軸に蓋体を係合する状態を説明する説明図である。
【図４】ロールスクリーンの係止部の斜視図である。
【図５】ロールスクリーンの係止部の他の実施形態の斜視図である。
【発明を実施するための形態】
【００１５】
本発明のロールスクリーンの脱着機構を実施するための最良の形態を図面に基づいて説明する。図１は本発明に係るロールスクリーンの脱着機構の一実施形態を示す概略縦断側面図である。図２は巻取軸の係止溝の開口部にロールスクリーンの係止部を挿入する説明図である。図３は巻取軸に蓋体を係合する状態を説明する説明図である。図４はロールスクリーンの係止部の斜視図である。図５はロールスクリーンの係止部の他の実施形態の斜視図である。
【００１６】
本発明は、図１に示すように、ロールスクリーン１の先端には硬質性芯材２を包み込んだ係止部３が形成してある。この係止部３は硬質性芯材２を直接ロールスクリーン１の先端縁に縫い糸によって縫着してもよいし、ホッチキス止９で簡易に固着できる（図５参照）。また両面テープによって仮止めした後、縫い糸によって縫着する。他方、巻取軸４の外周面に長手方向に沿って係止溝５と係合溝７が穿ってある。この係止溝５には溝幅の中心より片側（係合溝側）に寄った位置に開口部６がこの溝幅より狭く形成され、この係止溝５の内部は係合溝７側の奥行きが浅く、この反対側の奥行きが長く形成してある。
【００１７】
巻取軸４に形成した係止溝５の開口部６の係合溝７側縁に掛止する掛片８aを有すると共に係止溝５を閉塞する蓋片８ｃ有し、この蓋片８ｃの反対側端に係合溝７の係合部７aに係合する鍵部８ｂを有する蓋体８を合成樹脂で形成してある。
【００１８】
本発明のロールスクリーンの脱着機構について説明する。
図２に示すようにロールスクリーン１の先端に保持した硬質性の係止部３を巻取軸４の係止溝５の開口部６から奥行きの長い方に完全に挿入して嵌合する。この開口部６に蓋体８の掛片８ａを挿入して開口部６の縁に掛片８ａ引っ掛け,図２の反時計方向に蓋体８を回動して開口部６を蓋片８ｃで閉塞する。これによってロールスクリーン1の先端を固定する。
【００１９】
回動して巻取軸４の係止溝５を閉塞した蓋体８の他端に設けた鍵部８ｂを巻取軸４に穿った係合溝７の係合部７ａに係合することにより蓋体８を巻取軸４に強固に固定することができる。
【００２０】
本発明のロールスクリーンの脱着機構は、ロールスクリーン１の先端係止部３を係止溝５内の奥行きの長い方に挿入し、この係止溝５を蓋体８の蓋片８ｃで閉塞するから係止部３の脱出を完全に阻止することができる。しかもこの蓋体８は両端の係合部分で強固に固定することができ、ロールスクリーン１の巻きつけが円滑にできる。
【符号の説明】
【００２１】
１      ロールスクリーン
２      硬質性芯材
３      係止部
４      巻取軸
５      係止溝
６      開口部
７      係合溝
８      蓋体
９      ホッチキス止
【図１】
0004682011.tif 000002
【図２】
0004682011.tif 000003
【図３】
0004682011.tif 000004
【図４】
0004682011.tif 000005
【図５】
0004682011.tif 000006